(57)【要約】【課題】  誤作動を起こしにくいＡＶ機器制御システムを実現する。【解決手段】  複数の姿勢において使用でき、操作制御信号に基づいて複数の作動モードに切り替え可能なＡＶ機器本体６と、操作制御信号を送信するリモコン２と、ＡＶ機器本体６に備えられ、リモコン２からの操作制御信号を受信してＡＶ機器本体６に送る第１および第２正面リモコン受信センサー３・４と、第１および第２正面リモコン受信センサー３・４の作動を制御するセンサー制御部５と、を備え、ＡＶ機器本体６が上記複数の姿勢のうちのどの姿勢にあっても、少なくとも一部が操作者に対向するように、第１および第２正面リモコン受信センサー３・４が設けられており、センサー制御部５が、現在のＡＶ機器本体６の姿勢における、操作者に対向する方向以外の方向からの操作制御信号を受け付けないように制御する。【選択図】  図１
2005341423.tif 000002
【特許請求の範囲】
【請求項１】
複数の姿勢において使用でき、操作制御信号に基づいて複数の作動モードに切り替え可能な電子機器本体と、
前記操作制御信号を送信することで電子機器本体を遠隔制御する遠隔制御手段と、
前記電子機器本体に備えられ、前記遠隔制御手段からの前記操作制御信号を受信して電子機器本体に送る受信センサーと、
前記受信センサーの作動を制御するセンサー制御手段と、を備え、
前記電子機器本体が前記複数の姿勢のうちのどの姿勢にあっても、少なくとも一部が操作者に対向するように、受信センサーが設けられており、
前記センサー制御手段が、現在の電子機器本体の姿勢における、操作者に対向する方向以外の方向からの操作制御信号を受け付けないように受信センサーを制御することを特徴とする電子機器制御システム。
【請求項２】
前記センサー制御手段が、前記電子機器本体の重力方向に対する姿勢を検知する重力センサーを備え、前記重力センサーが検知した姿勢に基づいて受信センサーを制御することを特徴とする請求項１に記載の電子機器制御システム。
【請求項３】
前記センサー制御手段が、前記電子機器本体の姿勢に応じて回動する回動体を含み、
前記回動体が受信センサーの受信表面を被覆することで、受信センサーを制御することを特徴とする請求項１に記載の電子機器制御システム。
【請求項４】
前記センサー制御手段が、重力に対して上方向からの操作制御信号を受け付けないように受信センサーを制御することを特徴とする請求項１から３の何れか１項に記載の電子機器制御システム。
【請求項５】
前記受信センサーが複数の受信センサーからなり、複数の受信センサーそれぞれが電子機器本体の上記複数の姿勢に対応し、対応する姿勢において操作者に対向するように設けられており、
前記センサー制御手段が、現在の電子機器本体の姿勢に対応する受信センサー以外の受信センサーが操作制御信号を受け付けないように制御することを特徴とする請求項１から４の何れか１項に記載の電子機器制御システム。
【請求項６】
さらに、複数個の受信センサーそれぞれに受信センサーの作動を禁止するスイッチが設けられており、
前記センサー制御手段が、現在の電子機器本体の姿勢に対応する受信センサー以外の受信センサーのスイッチを切ることで、操作制御信号を受け付けないように制御することを特徴とする請求項５に記載の電子機器制御システム。
【請求項７】
前記センサー制御手段が、前記電子機器本体の姿勢に応じて回動する回動体を含み、
前記回動体が複数個の受信センサーそれぞれに設けられており、現在の電子機器本体の姿勢に対応する受信センサー以外の受信センサーに設けられた回動体が受信表面を被覆することで受信センサーを制御することを特徴とする請求項５に記載の電子機器制御システム。
【請求項８】
１つの受信センサーが、少なくとも２つの方向からの操作制御信号を受信できるように設置されており、
前記回動体が受信センサーの受信表面の一部を被覆することで受信センサーを制御することを特徴とする請求項３に記載の電子機器制御システム。
【発明の詳細な説明】
【技術分野】
【０００１】
本発明は、遠隔制御による電子機器制御システムに関し、特に誤作動が起こりにくい電子機器制御システムに関するするものである。
【背景技術】
【０００２】
家庭等において、テレビ、ビデオ又はＤＶＤ(Digital Versatile Disc)等のＡＶ(AudioVisual)機器の使用が一般化している。
【０００３】
このようなＡＶ機器においては、近年、使用者の操作性、使用空間等を考慮して、ＡＶ機器を縦置き、横置きなどの複数の姿勢で使用可能に設計するものが増えてきている。このような複数の姿勢で使用可能なＡＶ機器は、操作者とＡＶ機器との位置関係が変わっても、リモコンによる遠隔操作が行えるようにする必要がある。
【０００４】
つまり、常に一定姿勢で置かれる電子機器では、操作者に対向する前面にリモコン受信センサーを設けておけば、常にリモコン操作が可能である。一方、複数の姿勢で使用可能な電子機器の場合、縦置きの状態で前面であった面が横置きの状態では上面になる、といったことが生じ、受信センサーが１つでは、前面にリモコン受信センサーがないときに、リモコンが使えなくなる。そこで、従来、ＡＶ機器のキャビネットの複数の面にリモコン受信センサーを備えることによって、最低１つのリモコン受信センサーが操作者に対向するように設計することで、この問題に対処している。
【特許文献１】特開平7-20555号（公開日：１９９５年１月２４日）
【発明の開示】
【発明が解決しようとする課題】
【０００５】
しかしながら、上述したキャビネットの複数の面にリモコン受信センサーを備えているＡＶ機器においては、操作者と対向していないリモコン受信センサーをも備えることになる。操作者と対向していないリモコン受信センサーは、リモコンからの操作信号以外の例えば、インバーター蛍光灯などの外乱を受けやすくなっており、このようなＡＶ機器では、誤作動が多発するといった問題が生じていた。特に、操作者と対向していないリモコン受信センサーが天井側に対向していた場合に、天井側のインバーター蛍光灯などの外乱がさらに入り易く、リモコン受信センサーの誤動作が発生し易くなっていた。
【０００６】
なお、特許文献１には、重力センサーを使い、カメラの姿勢如何に関わらず、ディスプレイ画面の表示方向を常に見やすく表示されるように切り替える装置が記載されている。
【０００７】
本発明は、上記の問題点に鑑みてなされたものであり、その目的は、受信センサーの誤作動を起こしにくい電子機器制御システムを提供することにある。
【課題を解決するための手段】
【０００８】
本発明の電子機器制御システムは、上記課題を解決するために、複数の姿勢において使用でき、操作制御信号に基づいて複数の作動モードに切り替え可能な電子機器本体と、前記操作制御信号を送信することで電子機器本体を遠隔制御する遠隔制御手段と、前記電子機器本体に備えられ、前記遠隔制御手段からの操作制御信号を受信して電子機器本体に送る受信センサーと、前記受信センサーの作動を制御するセンサー制御手段と、を備え、前記電子機器本体が、前記複数の姿勢のうちのどの姿勢にあっても、受信センサーの少なくとも一部が操作者に対向するように設けられており、前記センサー制御手段が、現在の電子機器本体の姿勢における、操作者に対向する方向以外からの操作制御信号を受け付けないように受信センサーを制御することを特徴としている。
【０００９】
ここで、「作動モード」とは電子機器における、再生、停止、一時停止等の作動状態を言う。また、「受信センサーの少なくとも一部が操作者に対向する」とは、複数の受信センサーのうちの少なくとも１つが操作者に対向することを含んでいる。
【００１０】
複数の姿勢において使用可能な電子機器本体は、姿勢によって操作者と対向する面が異なる。したがって、どの姿勢で使用していても電子機器本体に対して遠隔制御を行えるようにするためには、複数の方向からの信号を受信できる受信センサーを設けなければならない。この場合、必然的に、電子機器本体が特定の姿勢にあるときに、受信センサーが操作者と対向する方向以外の方向からの信号を受信できる構成となる。この、操作者と対向する方向以外の方向が、例えばインバーター蛍光灯などの誤作動を招くものの方向を向いていると、受信センサーの誤作動が生じやすくなる。
【００１１】
しかし、本発明によれば、姿勢に対応して受信センサーを制御することで、電子機器がどの姿勢をとっていても、現在の電子機器本体の姿勢における、操作者に対向する方向以外からの操作制御信号を受け付けないように制御するので、上記した受信センサーの誤作動を防ぎながら、良好に遠隔制御手段からの操作制御信号の受信を行うことができる。
【００１２】
なお、「操作制御信号を受け付けないように制御する」とは、操作制御信号に限らず、インバーター蛍光灯からの光など受信センサーを作動させる操作制御信号の類似信号すべてを受け付けないように制御することを意味している。
【００１３】
また、本発明の電子機器制御システムは、前記センサー制御手段が、前記電子機器本体の重力方向に対する姿勢を検知する重力センサーを備え、前記重力センサーが検知した姿勢に基づいて受信センサーを制御することを特徴としている。
【００１４】
これにより、電子機器制御システムは、電子機器本体が重力に対してどのような姿勢にあるかが検知でき、電子機器本体における操作者と対向する方向が判定できる。よって、これに基づいて、受信センサーを、操作者と対向する方向以外の方向からの操作信号を受け付けないように制御できる。
【００１５】
また、本発明の電子機器制御システムは、前記センサー制御手段が、前記電子機器本体の姿勢に応じて回動する回動体を含み、前記回動体が受信センサーの受信表面を被覆することで、受信センサーを制御することを特徴としている。
【００１６】
回動体は、電子機器本体の回転に応じて回動するので、電子機器の姿勢に応じた位置に移動する。そして、電子機器本体がある姿勢をとったときに、回動体が受信センサーに対して特定の被覆をするように移動させる、すなわち、回動体を、受信センサーが操作者と対向する方向からの操作制御信号のみを受け付け、その他の操作制御信号を受け付けないように被覆させる。これにより、操作者と対向しない方向の操作制御信号またはそれに類する信号が受信センサーに到達することを妨害する。この場合、電気的な制御を行うことなく、機械的制御のみで、簡単に、受信センサーを制御することができる。
【００１７】
また、本発明の電子機器制御システムは、前記センサー制御手段が、重力に対して上方向からの操作制御信号を受け付けないように受信センサーを制御することを特徴としている。
【００１８】
電子機器本体の遠隔制御を行う上で誤作動の原因となるのは、主にインバーター蛍光等の照明器具であり、照明器具は一般的に電子機器本体より重力方向に対して上に設置されている。したがって、受信センサーは、重力に対して上方向からの操作制御信号を受け付けないように制御する必要がある。
【００１９】
上方向からの操作制御信号を受け付けないように制御する方法は、例えば、回動体が電子機器本体の姿勢に関わらず、常に受信センサーの重力上方向を被覆するように回動する方法や、重力上方向を向いていると判定された受信センサーの電源を切る方法がある。
【００２０】
また、本発明の電子機器制御システムは、前記受信センサーが複数この受信センサーからなり、複数の受信センサーそれぞれが電子機器本体の上記複数の姿勢に対応し、対応する姿勢において操作者に対向するように設けられており、前記センサー制御手段が、現在の電子機器本体の姿勢に対応する受信センサー以外の受信センサーが操作制御信号を受け付けないように制御することを特徴としている。
【００２１】
これによれば、電子機器本体の各姿勢に対して受信センサーが設けられているので、受信センサーが確実に遠隔操作手段の操作制御信号を受け取ることができる。また、現在の電子機器本体の姿勢に対応する受信センサー以外の受信センサーが操作制御信号を受け付けないようにすることで、操作者に対向する受信センサーの作動を制限することなく、その他の受信センサーの作動を制限できる。
【００２２】
また、本発明の電子機器制御システムは、さらに、複数個の受信センサーそれぞれに受信センサーの作動を禁止するスイッチが設けられており、前記センサー制御手段が、現在の電子機器本体の姿勢に対応する受信センサー以外の受信センサーのスイッチを切ることで操作制御信号を受け付けないように制御することを特徴としている。
【００２３】
これにより、電気的に、簡単に現在の電子機器本体の姿勢に対応する受信センサー以外の受信センサーの作動を禁止でき、センサー制御手段が小型化できる。
【００２４】
また、本発明の電子機器制御システムは、前記センサー制御手段が、前記電子機器本体の姿勢に応じて回動する回動体を含み、前記回動体が複数個の受信センサーそれぞれに設けられており、現在の電子機器本体の姿勢に対応する受信センサー以外の受信センサーに設けられた回動体が受信表面を被覆することで受信センサーを制御することを特徴としている。
【００２５】
これにより、電気を用いずに確実に現在の電子機器本体の姿勢に対応する受信センサー以外の受信センサーの作動を禁止でき、低コストのセンサー制御手段となる。
【００２６】
また、本発明の電子機器制御システムは、１つの受信センサーが、少なくとも２つの方向からの操作制御信号を受信できるように設置されており、前記回動体が受信センサーの受信表面の一部を被覆することで受信センサーを制御することを特徴としている。
【００２７】
これにより、電気を用いずに現在の電子機器本体の姿勢に対応する受信センサー以外の受信センサーの作動を禁止でき、１つの受信センサーと回動体とで、受信センサーの２方向からの操作制御信号の受信を制御できる。したがって、少ない部材点数で、より低コストのセンサー制御手段となる。
【発明の効果】
【００２８】
以上のように、本発明の電子機器制御システムは、複数の姿勢において使用でき、操作制御信号に基づいて複数の作動モードに切り替え可能な電子機器本体と、前記操作制御信号を送信することで電子機器本体を遠隔制御する遠隔制御手段と、前記電子機器本体に備えられ、前記遠隔制御手段からの操作制御信号を受信して電子機器本体に送る受信センサーと、前記受信センサーの作動を制御するセンサー制御手段と、を備え、上記電子機器本体が上記複数の姿勢のうちのどの姿勢にあっても、少なくとも一部が操作者に対向するように、受信センサーが設けられており、前記センサー制御手段が、現在の電子機器本体の姿勢における、操作者に対向する方向以外の方向からの操作制御信号を受け付けないように制御する。
【００２９】
これによれば、電子機器本体がどの姿勢をとっていても、現在の電子機器本体の姿勢における、操作者に対向する方向からの操作制御信号を妨げることなく、操作者に対向する方向以外からの操作制御信号を受け付けないように制御するので、上記した受信センサーの誤作動を防ぐことができる。
【発明を実施するための最良の形態】
【００３０】
〔実施の形態１〕
本発明の一実施形態について図１および図２に基づいて説明すると以下の通りである。
【００３１】
図１は、本実施の形態のＡＶ機器制御システム（電子機器制御システム）１のブロック図を示すものである。ＡＶ機器制御システム１は、リモコン（遠隔操作手段）２、第１正面リモコン受信センサー（受信センサー）３、第２正面リモコン受信センサー（受信センサー）４、センサー制御部５、ＡＶ機器本体（電子機器本体）６からなり、リモコン２の送信する操作制御信号ＳによりＡＶ機器本体６の作動モードを切り替えるシステムである。なお、第１および第２正面リモコン受信センサー３・４は、ＡＶ機器本体６の筐体表面に設けられており、センサー制御部５はＡＶ機器本体６の筐体内部に設けられている。
【００３２】
ＡＶ機器本体６は、複数の姿勢で使用でき、リモコン制御機能を有するものであればどのようなものでもよい。リモコン２は、ＡＶ機器本体６の作動モードを切り替えるための操作制御信号Ｓを送信するものである。第１および第２正面リモコン受信センサー３・４は、リモコン２の送信する操作制御信号Ｓを受信し、ＡＶ機器本体６へ伝えるものである。センサー制御部５は、ＡＶ機器本体６の姿勢に応じて、第１正面リモコン受信センサー３または第２正面リモコン受信センサー４の作動を禁止するものである。このとき、センサー制御部は、現在のＡＶ機器本体６の姿勢において、操作者に対向しない方のリモコン受信センサーの作動を禁止する。
【００３３】
センサー制御部５は、図２のブロック図に示す通り、重力センサー５１、マイコン５２、スイッチ５３、スイッチ５４を有している。重力センサー５１は、ＡＶ機器本体６の重力方向に対する姿勢を検知するものである。マイコン５２は、重力センサー５１が検知したＡＶ機器本体６の姿勢に基づいて、スイッチ（ＳＷ１）５３あるいはスイッチ（ＳＷ２）５４の接続を切るものである。スイッチ５３は、第１正面リモコン受信センサー３の作動回路のスイッチであり、スイッチ５３をＯＮにすることで第１正面リモコン受信センサー３が動作可能となり、ＯＦＦすることで動作不能となる。同様に、スイッチ５４は、第２正面リモコン受信センサー４の作動回路のスイッチであり、スイッチ５４をＯＮにすることで第２正面リモコン受信センサー４が動作可能となり、ＯＦＦすることで動作不能となる。
【００３４】
このようなシステムにより、ＡＶ機器本体の設置姿勢に従って、受信センサーを制御することで、リモコン受信センサーの誤動作を防ぐ事が出来る。具体的な動作を説明すると、以下のとおりである。
【００３５】
本実施の形態では、ＡＶ機器本体６は図３に示すような直方体であり、ＡＶ機器本体６は、面６ｂが正面（すなわち、リモコン２操作者と対向する面）となり、面６ａが上面となる第１姿勢と、面６ａが正面となり、面６ｂが上面となる第２姿勢との２つの姿勢で作動することを前提として設計されている。そして、第１正面リモコン受信センサー３は面６ｂに、第２正面リモコン受信センサー４は、面６ａに設けられている。
【００３６】
ＡＶ機器本体６が第１姿勢にあるとき、ＡＶ機器本体６内部の重力センサー５１は、ｙ方向に重力が働いていることを検知する。重力センサー５１によって、検知された重力方向の情報は、マイコン５２に送られる。ここで、ＡＶ機器本体６のとり得る姿勢のうち、重力方向がｙ方向となる姿勢は第１姿勢だけであるので、ＡＶ機器本体６は第１姿勢であると判断される。
【００３７】
ＡＶ機器本体６が第１姿勢である場合、第１姿勢において操作者に対向する受信センサーである第１正面リモコン受信センサー３以外の受信センサー、すなわち、第２正面リモコン受信センサー４を無効にする。このために、マイコン５２は、第２正面リモコン受信センサー４の作動回路のスイッチであるスイッチ２を切る。
【００３８】
これにより、操作者のリモコン２からの操作制御信号Ｓは第１正面リモコン受信センサー３から良好に受信することができ、その他の方向からの類似信号Ｔを第２正面リモコン受信センサー４から受け取ることを防ぐ。特に、操作者と対向しない受信センサーが、図３のように上方向に向いている場合には、第２正面リモコン受信センサー４が天井に設置されたインバーター蛍光灯の外乱光を受けやすく、誤作動を多発することになるが、上記構成によれば、この誤作動も効果的に防がれる。
【００３９】
一方、ＡＶ機器本体６が第２姿勢にあるとき、ＡＶ機器本体６内部の重力センサー５１は、ｘ方向に重力が働いていることを検知する。重力センサー５１によって、検知された重力方向の情報は、マイコン５２に送られる。ここで、ＡＶ機器本体６のとり得る姿勢のうち、重力方向がｘ方向となる姿勢は第２姿勢だけであるので、ＡＶ機器本体６は第２姿勢であると判断される。
【００４０】
ＡＶ機器本体６が第２姿勢である場合、第２姿勢において操作者に対向する受信センサーである第２正面リモコン受信センサー４以外の受信センサー、すなわち、第１正面リモコン受信センサー３を無効にする。このために、マイコン５２は、第１正面リモコン受信センサー３の作動回路のスイッチであるスイッチ５３を切る。
【００４１】
これにより、操作者のリモコン２からの操作制御信号Ｓは第２正面リモコン受信センサー４から良好に受信することができ、その他の方向からの類似信号を第１正面リモコン受信センサー３から受け取ることを防ぐ。特に、操作者と対向しない受信センサーが、上方向に向いている場合には、天井に設置されたインバーター蛍光灯の外乱光を受けやすく、誤作動を多発することになるが、上記構成によれば、この誤作動も効果的に防がれる。
【００４２】
以上のような構成により、操作者に対向するリモコン受信センサー以外のリモコン受信センサーの作動を禁止することができるので、操作者の対向するリモコン受信センサー以外のリモコン受信センサーから入る操作制御信号あるいはこの類似信号により誤作動を起こすことを防げる。したがって、複数の姿勢にて使用できるＡＶ機器本体６において、どの姿勢にしても、良好にリモコン２からの操作制御信号を受信でき、一方、その他からの操作制御信号あるいはその類似信号による誤作動を防ぐことができる。
【００４３】
〔実施の形態２〕
本発明の他の実施形態について図４ないし図８に基づいて説明すると以下の通りである。
【００４４】
図４は、本実施の形態のＡＶ機器制御システム（電子機器制御システム）１０のブロック図を示すものである。ＡＶ機器制御システム１０は、リモコン（遠隔操作手段）１２、第１正面リモコン受信センサー（受信センサー）１３、第２正面リモコン受信センサー（受信センサー）１４、センサー制御部１５、ＡＶ機器本体（電子機器本体）１６からなり、リモコン２の送信する操作制御信号ＳによりＡＶ機器本体１６の作動モードを切り替えるシステムである。なお、第１および第２正面リモコン受信センサー１３・１４は、ＡＶ機器本体１６の筐体表面に設けられており、センサー制御部１５はＡＶ機器本体６の筐体内部に設けられている。
【００４５】
リモコン１２は、ＡＶ機器本体１６の作動モードを切り替えるための操作制御信号Ｓを送信するものである。第１および第２正面リモコン受信センサー１３・１４は、リモコン１２の送信する操作制御信号Ｓを受信し、ＡＶ機器本体１６へ伝えるものである。センサー制御部１５は、ＡＶ機器本体１６の姿勢に応じて、第１正面リモコン受信センサー１３または第２正面リモコン受信センサー１４が操作制御信号あるいはその類似信号を受信しないように受信表面をカバーするものである。具体的には、現在のＡＶ機器本体１６の姿勢において、操作者に対向しない方のリモコン受信センサーの受信表面をカバーするものである。
【００４６】
本実施の形態では、ＡＶ機器本体１６は図５に示すような直方体であり、第１および第２正面リモコン受信センサー１３・１４は、図４に示すように、第１および第２正面リモコン受信センサー１３・１４は、ＡＶ機器本体１６の筐体に設けられた開口部であるリモコン受信フィルター２０・３０を通ってきた操作制御信号Ｓを受信する。ＡＶ機器本体１６は、面１６ｂが正面（すなわち、リモコン２操作者と対向する面）となり、面１６ａが上面となる第１姿勢と、面１６ａが正面となり、面１６ｂが上面となる第２姿勢との２つの姿勢で作動することを前提として設計されている。そして、第１正面リモコン受信センサー１３は面６ｂに、第２正面リモコン受信センサー１４は、面６ａに設けられている。
【００４７】
次に、センサー制御部１５について詳細に説明する。
【００４８】
本実施の形態では、センサー制御部１５は、第１および第２正面リモコン受信センサー１３・１４それぞれの近傍に設けられた回動体である。以下、図６に基づき、第１正面リモコン受信センサー１３に設けられたセンサー制御部１５について説明する。
【００４９】
図６は、ＡＶ機器本体１６が第１姿勢（重力方向下を矢印で示す）にあるときを示しており、（ａ）は正面図（図５におけるＡ方向から見た図面）であり、（ｂ）は側面図（図５におけるＢ方向から見た図面）である。センサー制御部１５は、センサー制御部１５は、回動部（回動体）２５と支持部２６とからなり、ＡＶ機器本体１６の姿勢に応じて回転部２５が回転し、常に第１正面リモコン受信センサー１３における重力に対して上方向からの信号を遮蔽し、重力に対する横方向からの信号を遮蔽しない位置に保つ。
【００５０】
上記支持部２６は、ＡＶ機器本体１６筐体に形成された、リモコン受信フィルター２０をまたいで２箇所に設けられた柱であり、その先端には回転軸穴が設けられている。上記回動部２５は、図７（（ａ）が平面図（ｂ）が正面図（ｃ）が右側面図（ｄ）が左側面図である）に示すとおり、第１正面リモコン受信センサー１３の上部を覆う被覆面２３と、被服面２３の端部からほぼ垂直に伸びた２つの側面２４と、側面２４に設けられた回転軸２２からなる。この回転軸２２は、支持部２６の回転軸穴に回転可能に嵌合される。ここで、回動部２５は、被覆面２３が常に重力に対して一番上に位置するように、側面２４部分を重くしている。
【００５１】
このようなセンサー制御部２５を設けることで、第１姿勢では、第２正面リモコン受信センサー１４とリモコン受信フィルター２０との間にセンサー制御部２５の被覆部２３が入り込み、リモコン受信フィルター２０から（すなわち、重力に対して上方向から）入り込んだ操作制御信号あるいはその類似信号が第２正面リモコン受信センサー１４間で到達しないようにする。
【００５２】
ここで、ＡＶ機器においては、操作者は正面側に位置しており、上に位置することはないので、受信表面が上方向を向いた、第２正面リモコン受信センサー１４は、現在のＡＶ機器本体１６の姿勢（第１姿勢）において操作者に対向しない受信センサーである。
【００５３】
一方、図８の、ＡＶ機器本体１６が第２姿勢にあるときの側面図（図５におけるＢ方向から見た図面）によれば、第２姿勢では、第２正面リモコン受信センサー１４とリモコン受信フィルター２０との間には回動部２５のどの部分も入り込まない。したがって、操作制御信号は、リモコン受信フィルター２０を通り、２つの側面２２の間を通って、第２正面リモコン受信センサー１４にたどり着くことができる。ここで、図８における重力方向下は矢印方向に示す方向である。
【００５４】
なお、回動部１５は、第１姿勢および第２姿勢の両方で、側面２２が水平に並び、被覆面２３が重力方向に対して上に向くように支持されることが好ましい。このためには、第１姿勢および第２姿勢の両方で、回転軸２２および支持部２６の回転軸穴が水平に設置されていればよい。
【００５５】
以上のようなセンサー制御部１５は、第１正面リモコン受信センサー１３の近傍にも設けられており、回動部２７により同様の動作をする。だたし、第１姿勢での受信センサーに対する位置関係と第２姿勢での受信センサーに対する位置関係は、回動部２５と逆になる。すなわち、図８に示す第２姿勢で、第２正面リモコン受信センサー１３とリモコン受信フィルター３０との間にセンサー制御部１５の回動部２７が入り込み、リモコン受信フィルター３０から（すなわち、重力に対して上方向から）入り込んだ操作制御信号あるいはその類似信号が第１正面リモコン受信センサー１３に到達しないようにする。一方、図６の、ＡＶ機器本体１６が第１姿勢にあるとき、第１正面リモコン受信センサー１３とリモコン受信フィルター３０との間には回動部２５のどの部分も入り込まない。したがって、操作制御信号は、リモコン受信フィルター３０を通り、第１正面リモコン受信センサー１３にたどり着くことができる。
【００５６】
これにより、図６のような第１姿勢においては、回動体２７が第１正面リモコン受信センサー１３を被覆せず、露出させており、操作制御信号Ｓが受信可能とし、回動体２５は第２正面リモコン受信センサー１４を被覆し、信号が受信されないようにしている。一方、図８のような第２姿勢においては、回動体２７が第１正面リモコン受信センサー１３を被覆し、信号が受信されないようにしており、回動体２５は第２正面リモコン受信センサー１４を被覆せず、露出させており、操作制御信号Ｓが受信可能としている。
【００５７】
したがって、現状態で正面（操作者に対向する面）にある受信センサーは操作制御信号Ｓを受け取れる状態にあり、上方にある受信センサーは操作制御信号Ｓを受け取れない状態となる。よって、受信センサーは、操作者からの操作制御信号Ｓは良好に受信することができ、その他の方向からの類似信号を受け取らなくなる。特に、操作者と対向しない受信センサーが、上方向に向いている場合には、天井に設置されたインバーター蛍光灯の外乱光を受けやすく、誤作動を多発することになるが、上記構成によれば、この誤作動も効果的に防がれる。
【００５８】
以上のような構成により、操作者に対向するリモコン受信センサー以外のリモコン受信センサーが作動しないようにできるので、操作者の対向するリモコン受信センサー以外のリモコン受信センサーから入る操作制御信号あるいはこの類似信号により誤作動を起こすことを防げる。したがって、複数の姿勢にて使用できるＡＶ機器本体１６において、どの姿勢にしても、操作制御信号ｓあるいはその類似信号による誤作動を防ぐことができる。
【００５９】
〔実施の形態３〕
本発明の他の実施形態について図９に基づいて説明すると以下の通りである。
【００６０】
本実施の形態は、実施の形態２において、リモコン受信フィルター２０・３０、第１および第２正面リモコン受信センサー１３・１４、センサー制御手段１５の設置位置と数を変更したものである。
【００６１】
すなわち、本実施の形態は、ＡＶ機器本体４６の筐体の隣り合う面に設けられたリモコン受信フィルター４０・５０が設けられており、ＡＶ機器本体４６の筐体内部に、ただ１つのリモコン受信センサー４３と、リモコン受信センサー４３の作動を制御するセンサー制御手段４５を設けている。
【００６２】
リモコン受信センサー４３は、リモコン受信フィルター４０・５０のどちらから入った操作制御信号Ｓをも受け取ることができるよう設けられている。このために、リモコン受信センサー４３は、リモコン受信フィルター４０・５０それぞれの開口面の中心をとおり、開口面に直交する線の交点において、リモコン受信センサー４３の受信面がリモコン受信フィルター４０・５０の間を向くように操作制御信号入射方向から４５度傾けて設置すればよい。
【００６３】
センサー制御手段４５の支持部は、筐体のリモコン受信フィルター４０近傍から形成されている。しかし、筐体のリモコン受信フィルター５０近傍に形成されていてもよい。センサー制御手段４５の回動の仕組みは、実施の形態２のセンサー制御手段１５と同じである。但し、１つの回動部５５で、リモコン受信フィルター４０・５０の２方向からの操作制御信号を制御するために、リモコン受信フィルター４０・５０と受信センサー４３との３つの部材の位置関係を考慮し、回動部５５が、リモコン受信フィルター４０と受信センサー４３との間、およびリモコン受信フィルター５０と受信センサー４３との間の２つの体勢をとり得るように設置しなければならない。
【００６４】
ここで、ＡＶ機器本体１６は、面４６ｂが正面（すなわち、リモコン１２の操作者と対向する面）となり、面４６ａが上面となる第１姿勢と、面４６ａが正面となり、面４６ｂが上面となる第２姿勢との２つの姿勢で作動することを前提として設計されているものとし、具体的な動作を説明する。
【００６５】
第１姿勢では、図９に示すＤ方向が重力上となり、回動部５５の被覆面がＤ方向を向いた体勢となる。これにより、リモコン受信センサー４３とリモコン受信フィルター４０との間に回動部５５が入り込み、リモコン受信フィルター４０から（すなわち、重力に対して上方向から）入り込んだ操作制御信号あるいはその類似信号がリモコン受信センサー４３に到達しないようになる。一方、リモコン受信フィルター５０から（すなわち、正面から）の操作制御信号は、回動部５５に遮蔽されず、リモコン受信センサー４３に到達する。
【００６６】
一方、ＡＶ機器本体４６が第２姿勢にあるときは、図９に示すＣ方向が重力上となり、回動部５５の被覆面がＣ方向を向いた体勢となる。これにより、リモコン受信センサー４３とリモコン受信フィルター５０との間に回動部５５が入り込み、リモコン受信フィルター５０から（すなわち、重力に対して上方向から）入り込んだ操作制御信号あるいはその類似信号がリモコン受信センサー４３に到達しないようになる。一方、リモコン受信フィルター４０から（すなわち、正面から）の操作制御信号は、回動体５５に遮蔽されず、リモコン受信センサー４３に到達する。
【００６７】
なお、回動部５５は、第１姿勢および第２姿勢の両方で、被覆面２３が重力方向に対して上に向くように支持されることが好ましい。このためには、第１姿勢および第２姿勢の両方で、回動部５５の回転軸が水平になるように設置されていればよい。
【００６８】
以上の構成により、第１姿勢および第２姿勢の双方において、回動体５５が、重力に対して上方向から入り込んだ操作制御信号Ｓあるいはその類似信号がリモコン受信センサー４３に到達しないよう遮断し、一方、正面から入り込んだ操作制御信号Ｓを遮断しないようにできる。よって、受信センサーは、操作者からの操作制御信号Ｓは良好に受信することができ、その他の方向からの類似信号を受け取らなくなり、誤作動を起こすことを防げる。これにより、複数の姿勢にて使用できるＡＶ機器本体４６において、どの姿勢にしても、操作制御信号Ｓあるいはその類似信号による誤作動を防ぐことができる。
【００６９】
更に本実施の形態では、リモコン受信センサー４３及びセンサー制御手段４５を１つに集約できるので、設計工程の簡略化、コストの削減につながる。
【００７０】
なお、実施の形態では、ＡＶ機器本体を２つの姿勢で設置可能なことを前提として説明しているが、これに限られるものではく、リモコン受信センサーやセンサー制御部あるいはスイッチを増設することで、３以上の姿勢で設置可能なものに適用してもよい。
【００７１】
また、本発明をＡＶ機器の制御システムを例に挙げて説明しているが、複数の姿勢で使用できる電子機器であればこれに限られるものではない。
【００７２】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００７３】
また、本発明は、以下の構成とすることもできる。
【００７４】
複数のモードが操作制御信号に基づいて作動可能なＡＶ機器本体と、前記ＡＶ機器本体に前記操作制御信号を送信するリモコンと前記ＡＶ機器に設けられ、前記リモコンからの送信信号を受信するリモコン受信センサーとを備えるＡＶシステムであって、更に複数の姿勢に於いて使用可能に設定されたＡＶシステムであって、前期リモコン受信センサーは各姿勢毎に操作者に対向する面にそれぞれ設けられ、更に、操作者に対向するリモコン受信センサー以外のリモコン受信センサーの作動を実質的に禁止せしめる作動禁止手段を設けてなることを特徴とする第１のＡＶシステム。
【００７５】
第１のＡＶシステムにおいて姿勢を検知する重力センサーが設けられ前記重力センサーの検知結果が、前記作動禁止手段のトリガーであることを特徴とするＡＶシステム。
【００７６】
第１のＡＶシステムにおいて、姿勢によって回動する回動体を設け前記回動体の回動姿勢によって前記リモコン受信センサーが、前記回動体によってカバーされたり露出したりする様に前記各リモコン受信センサーが、配設されてなることを特徴とするＡＶシステム。
【産業上の利用可能性】
【００７７】
電子機器を、設定された複数の姿勢から選ばれるどの姿勢で設置した場合も、他の信号を受信して誤作動を起こすことなく、リモコンによる遠隔操作が可能となる。従って、複数の姿勢で使用可能な電子機器、特に、ＤＶＤなどのＡＶ機器に適用できる。
【図面の簡単な説明】
【００７８】
【図１】本発明の実施形態にかかるＡＶ機器制御システムを示すブロック図である。
【図２】本発明の実施形態にかかるセンサー制御部を示すブロック図である。
【図３】本発明の実施形態にかかるＡＶ機器本体の斜視図である。
【図４】本発明の他の実施形態にかかるＡＶ機器制御システムを示すブロック図である。
【図５】本発明の他の実施形態にかかるＡＶ機器本体の斜視図である。
【図６】本発明の他の実施形態にかかるＡＶ機器本体の内部を示す断面図であり、（ａ）が正面方向の（ｂ）が側面方向の断面図である。
【図７】図６のＡＶ機器本体の回動体を示す図面であり、（ａ）が平面図、（ｂ）が正面図、（ｃ）が右の側面図、（ｄ）が左の側面図である。
【図８】図６のＡＶ機器本体を９０度回転した姿勢での側面図である。
【図９】本発明のさらに他の実施形態にかかるＡＶ機器本体の内部を示す断面図である。
【符号の説明】
【００７９】
１    ＡＶ機器制御システム（電子機器制御システム）
２    リモコン（遠隔制御手段）
３    第１正面リモコン受信センサー（受信センサー）
４    第２正面リモコン受信センサー（受信センサー）
５    センサー制御部
６    ＡＶ機器本体（電子機器本体）
５１  重力センサー
５２  マイコン
５３  スイッチ
５４  スイッチ
１０  ＡＶ機器制御システム（電子機器制御システム）
１２  リモコン（遠隔制御手段）
１３  第１正面リモコン受信センサー（受信センサー）
１４  第２正面リモコン受信センサー（受信センサー）
１５  センサー制御部
１６  ＡＶ機器本体（電子機器本体）
２５  回動体
２７  回動体
４３  リモコン受信センサー（受信センサー）
４５  センサー制御部
４６  ＡＶ機器本体（電子機器本体）
５５  回動体
【図１】
2005341423.tif 000003
【図２】
2005341423.tif 000004
【図３】
2005341423.tif 000005
【図４】
2005341423.tif 000006
【図５】
2005341423.tif 000007
【図６】
2005341423.tif 000008
【図７】
2005341423.tif 000009
【図８】
2005341423.tif 000010
【図９】
2005341423.tif 000011